(57)【要約】【課題】地震の際に家具の転倒を確実に防止することができる、家具転倒防止構造を提供する。【解決手段】壁面に複数箇所で水平に固定される壁面固定用アングル材２と、一端が壁面固定用アングル材２に重ねられて家具１の上部枠１２の後部に固定され且つ他端が上部枠１２の前部に固定される家具上部枠固定板１０とからなる家具転倒防止構造。【選択図】図１
0003112795.tif 000002
【実用新案登録請求の範囲】
【請求項１】
壁面に複数箇所で水平に固定される壁面固定用アングル材と、一端が前記壁面固定用アングル材に重ねられて家具の上部枠の後部に固定され、且つ他端が上部枠の前部に固定される家具上部枠固定板とからなることを特徴とする家具転倒防止構造。
【請求項２】
壁面固定用アングル材が壁面の柱、該柱間の間柱にそれぞれ固定されることを特徴とする請求項１記載の家具転倒防止構造。
【請求項３】
壁面固定用アングル材が壁面に固定された複数のアンカーボルトにそれぞれ固定されることを特徴とする請求項１記載の家具転倒防止構造。
【請求項４】
家具の継ぎ目の上下が継手金具で固定されていることを特徴とする請求項１又は２記載の家具転倒防止構造。
【考案の詳細な説明】
【技術分野】
【０００１】
本考案は、地震の際に家具が転倒するのを確実に防止するための家具転倒防止構造に関する。
【背景技術】
【０００２】
震度４を超える強い地震の場合、大きいゆれにより家具が転倒して人間を負傷させたり、収納物が飛び出して散乱し、また落下により損傷したりする。
【０００３】
そこで、家具の転倒を防止するため、各種の方式が提案されている。例えば、特許文献１には、床置き家具およびその上に置かれる上置き家具が地震時に転倒するのを防止するための家具転倒防止構造が開示されており、この転倒防止構造は、建物の壁面に沿って床面上に配置される床置き家具の上端をコンクリート壁に埋め込まれた木桟に固定されたＬ形の上端固定金具で固定し、床置き家具の上に置かれる上置き家具はその背面に縦長板状の差込み金具の上部を固定し、差込み金具の下部を床置き家具の背面と壁面との間に挟む構造により転倒防止を図るというものである。
【特許文献１】登録実用新案第３０２０００７号明細書
【考案の開示】
【考案が解決しようとする課題】
【０００４】
前記従来の転倒防止構造では、床置き家具の上部枠の後部と壁面との固定は、Ｌ形の上端固定金具の端部をビスでそれぞれ一箇所で固定するものであるため、上端固定金具の家具の上部枠の後部と壁面に対する固定力が十分でない。そのため、ゆれの大きい地震では上端固定金具がビスとともに壁面から抜けたり、上端固定金具が家具の上部枠から外れたりして上端固定金具で家具を十分に押さえきれないことから家具の転倒を確実に防止できないおそれがある。
【０００５】
そこで、本考案は、地震の際に家具の転倒を確実に防止することができる、家具転倒防止構造を提供するものである。
【課題を解決するための手段】
【０００６】
本考案による家具転倒防止構造は、壁面に複数箇所で水平に固定される壁面固定用アングル材と、一端が前記壁面固定用アングル材に重ねられて家具の上部枠の後部に固定され且つ他端が上部枠の前部に固定される家具上部枠固定板とからなることを特徴とする。
【０００７】
壁面固定用アングル材は、壁面の柱、該柱間の間柱にそれぞれ固定され、あるいは壁面に固定された複数のアンカーボルトにそれぞれ固定されることを特徴とする。さらに、家具の継ぎ目は、上下が継ぎ金具で固定することを特徴とする。
【考案の効果】
【０００８】
本考案は、壁面固定用アングル材が壁面に複数箇所で固定され、家具上部枠固定板が家具の上部枠の前部及び後部に固定されるので、家具と壁面との固着力が増加し、地震により揺れても家具をしっかりと押さえた状態を保持することができるので、家具の転倒を確実に防止することができる。
【考案を実施するための最良の形態】
【０００９】
本発明の実施例について図面を参照して説明する。
【実施例１】
【００１０】
図１は本考案による家具転倒防止構造の斜視図、図２（ａ）は転倒防止構造の平面図、（ｂ）は同側面図、図３はコンクリート壁に壁面固定用アングル材を固定した状態を示す側面図、図４は家具の継ぎ目を固定する継ぎ金具を固定した状態を示す図である。
【００１１】
図１〜図３において、家具１の横幅と同程度の長さで、且つ断面Ｌ形の壁面固定用アングル材２が柱３及び柱間の間柱４のそれぞれにネジ５により水平に固定される。壁面固定用アングル材２としては軽量のアルミ製アングル材が適している。本考案では長尺の壁面固定用アングル材２を柱３及び柱の間の間柱４のそれぞれに固定することにより固定箇所を多くしているので、従来の一箇所だけに固定する固定金具に比べて固定力が大幅に向上する。
【００１２】
図３において、コンクリート壁６の場合、コンクリート壁６に等間隔に複数箇所にアンカーボルト７を打ち込んで固定し、アンカーボルト７に壁面固定用アングル材２をナット８で固定する。
【００１３】
壁面固定用アングル材２には、家具１を固定する複数の家具上部枠固定板１０が直交に間隔をおいてネジ１１により固定できるようになっている。家具上部枠固定板１０は、家具１の出幅とほぼ同じ長さを有し、家具１の上部枠１２の前部１２ａと後部１２ｂにネジ１１により固定される。家具上部枠固定板１０は、固定力を大きくするため、柱３と間柱４の間隔に合わせて壁面固定用アングル材２に固定することが好ましい。本実施例では、家具１の横幅の中央とその両側で間柱４又は柱３に位置するように固定する。
【００１４】
図４において、家具１が上段１ａと下段１ｂに分離している場合、家具１が地震時にゆれにより分離しないようにする。図１は家具１の上段１ａと下段１ｂを固定して継なぐ継ぎ金具１３を示す図である。上段１ａと下段１ｂを背面、あるいは側面を継ぎ金具１３で固定することで、ゆれにより家具１の上段１ａ及び下段１ｂがずれるのを防止することができる。
【００１５】
次ぎに本考案の家具転倒防止構造の形成手順について説明する。
【００１６】
柱３及び間柱４に家具１の高さより僅かに高い位置に壁面固定用アングル材２をネジ５により固定する。
【００１７】
壁面固定用アングル材２の固定が完了した後、家具１の背面が壁面固定用アングル材２の下に位置するように家具１を位置決めする。家具１は横幅の中央が間柱４の位置になるように位置決めすることが好ましい。なお、家具１が上段１ａおよび下段１ｂで構成される場合、継手金具１３で固定する。
【００１８】
家具１の位置決めが終了した後、家具上部枠固定板１０の壁面側の端部を壁面固定用アングル材２の下部にのせ、家具上部枠固定板１０ととともに壁面固定用アングル材２を家具１の上部枠１２の後部にネジ１１により重ねて固定する。
【００１９】
家具上部枠固定板１０と壁面固定用アングル材２と家具１の上部枠１２の後部１２ａとの固定が完了した後、家具上部枠固定板１０を家具１の上部枠１２の前部１２ａにネジ１１で固定する。
【００２０】
以上の手順により家具１と壁面固定用アングル材２が複数の家具上部枠固定板１０を介して複数箇所で固定されるために固定力が増加し、地震の際に壁面固定用アングル材２が壁面から外れたり、家具上部枠固定板１０が家具１から外れることなく家具１を十分に押さえることができるので、家具１の転倒を確実に防止することができる。
【図面の簡単な説明】
【００２１】
【図１】本考案による家具転倒防止構造の斜視図である。
【図２】（ａ）は同倒防止構造の平面図、（ｂ）は同側面図である。
【図３】コンクリート壁に壁面固定用アングル材を固定した状態を示す側面図である。
【図４】家具の継ぎ目を固定する継ぎ金具を固定した状態を示す図である。
【符号の説明】
【００２２】
１：家具
２：壁面固定用アングル材
３：柱
４：間柱
５：ネジ
６：コンクリート壁
７：アンカーボルト
８：ナット
９：上部枠
１０：家具上部枠固定板
１１：家具の上部枠
１２：上部枠
１２ａ：上部枠の前部
１２ｂ：上部枠の後部
１３：継手金具
【図１】
0003112795.tif 000003
【図２】
0003112795.tif 000004
【図３】
0003112795.tif 000005
【図４】
0003112795.tif 000006